(57)【要約】【課題】スクリーンセイバ上から簡単に各種機能を実施できるようにする。【解決手段】各モードの個別の紹介画面を順次切替えるスクリーンセイバをタッチパネルモニタ１０６に表示する。一括プリントの紹介画面において操作入力があると、一括プリントモードに移行する。画像選択プリントの紹介画面において操作入力があると、画像選択プリントモードに移行する。インデックスプリントの紹介画面において操作入力があると、インデックスプリントモードに移行する。マルチプリントの紹介画面において操作入力があると、マルチプリントモードに移行する。メディア書込の紹介画面において操作入力があると、メディア書込サービスモードに移行する。【選択図】  図２
2006221585.tif 000002
【特許請求の範囲】
【請求項１】
複数の動作モードに関する紹介画面を順次切り替えるスクリーンセイバを表示する表示部と、
操作入力を受け付ける操作部と、
前記操作入力が受け付けられたときに表示されている紹介画面に対応する動作モードを実行する制御部と、
を備えるスクリーンセイバ制御装置。
【請求項２】
前記複数の動作モードに関する紹介画面を順次切り替えるスクリーンセイバ又は通常のスクリーンセイバのいずれを動作させるかを設定する設定部をさらに備え、
前記制御部は前記設定部の設定に応じて前記複数の動作モードに関する紹介画面を順次切り替えるスクリーンセイバ又は前記通常のスクリーンセイバのいずれか一方を動作させる請求項１に記載のスクリーンセイバ制御装置。
【請求項３】
複数の動作モードに関する紹介画面を順次切り替えるスクリーンセイバを表示するステップと、
操作入力を受け付けるステップと、
前記操作入力が受け付けられたときに表示されている紹介画面に対応する動作モードを実行するステップと、
を含むスクリーンセイバ制御方法。
【請求項４】
複数の動作モードに関する紹介画面を順次切り替えるスクリーンセイバを表示するステップと、
操作入力を受け付けるステップと、
前記操作入力が受け付けられたときに表示されている紹介画面に対応する動作モードを実行するステップと、
をコンピュータに実行させるスクリーンセイバ制御プログラム。
【発明の詳細な説明】
【技術分野】
【０００１】
本発明はスクリーンセイバ制御装置、スクリーンセイバ制御方法及びスクリーンセイバ制御プログラムに係り、特に特定の機能を実施するモードに移行できるスクリーンセイバに関する。
【背景技術】
【０００２】
従来、画面の焼付き防止に表示されるスクリーンセイバに、様々な機能を追加する技術が開発されている。例えば特許文献１によると、パチンコ機に、通常遊技の他にミニゲームを搭載し、このミニゲームの経過を記録しておき、リプレイ画像をスクリーンセイバとして利用する。このため、単一のスクリーンセイバ画像を繰り返し表示するよりも、さらに画面の焼付きを防止することができる。
【０００３】
また、特許文献２の撮像装置によると、トリガー手段は、ユーザのボタン操作によって撮影開始の指示を示す開始トリガー信号を生成し、制御手段に供給する。検出手段は記録媒体の有無を検出し、結果を示す検出信号を制御手段に供給する。制御手段は供給される開始トリガー信号と検出信号に従って、フイーチヤ手段に対して第一の制御信号を、レコーダ手段に対して第二の制御信号を供給する。撮像手段は被写体を撮像し、映像信号をフイーチヤ手段に供給する。フイーチヤ手段は、供給される第一の制御信号に従って、映像信号に効果処理を施し、レコーダ手段に供給する。レコーダ手段はフイーチヤ手段より供給される映像信号を高能率符号化し、記録媒体に記録する。こうしたデモンストレーションは表示手段に表示され利用者に機能を紹介する。
【特許文献１】特開２００２−２８２４２６号公報
【特許文献２】特開２００１−２３８１２３号公報
【発明の開示】
【発明が解決しようとする課題】
【０００４】
ところで、店頭プリント受付装置など、多くの機能を搭載している機器においては、それらの機能を実施するために複雑な操作をユーザに要求する場合があるため、なるべく簡単にそれらの機能を実施させる操作画面に遷移させる必要がある。ところが、特許文献１の技術では、デモ画面とミニゲーム画面とが切り替わるだけであり、特許文献２の技術でも、撮影開始の操作によりデモ画面へ移行するだけであり、デモ画面には特定の画面への遷移を指定する機能はない。本発明はこのような問題点に鑑みてなされたもので、スクリーンセイバ上から簡単に各種機能を実施できるようにすることを目的とする。
【課題を解決するための手段】
【０００５】
上述の課題を解決するため、本発明に係るスクリーンセイバ制御装置は、複数の動作モードに関する紹介画面を順次切り替えるスクリーンセイバを表示する表示部と、操作入力を受け付ける操作部と、操作入力が受け付けられたときに表示されている紹介画面に対応する動作モードを実行する制御部と、を備える。
【０００６】
この発明によると、スクリーンセイバで表示が順次切替えられている紹介画面で操作入力を行うと、紹介画面に対応するモードに移行する。このため、各モードの機能を理解しつつ煩雑な操作を伴うことなく所望のサービスへ直ちに移行できる。
【０００７】
このスクリーンセイバ制御装置は、複数の動作モードに関する紹介画面を順次切り替えるスクリーンセイバ又は通常のスクリーンセイバのいずれを動作させるかを設定する設定部をさらに備え、制御部は設定部の設定に応じて複数の動作モードに関する紹介画面を順次切り替えるスクリーンセイバ又は通常のスクリーンセイバのいずれか一方を動作させるようにしてもよい。
【０００８】
こうすれば、必要に応じて通常のスクリーンセイバ動作、即ちスクリーンセイバ画面の表示動作中に、操作部に操作入力があると、スクリーンセイバ画面を所定の画面に復帰させる動作を行わせることができる。
【０００９】
本発明に係るスクリーンセイバ制御方法は、複数の動作モードに関する紹介画面を順次切り替えるスクリーンセイバを表示するステップと、操作入力を受け付けるステップと、操作入力が受け付けられたときに表示されている紹介画面に対応する動作モードを実行するステップと、を含む。
【００１０】
本発明に係るスクリーンセイバ制御プログラムは、複数の動作モードに関する紹介画面を順次切り替えるスクリーンセイバを表示するステップと、操作入力を受け付けるステップと、操作入力が受け付けられたときに表示されている紹介画面に対応する動作モードを実行するステップと、をコンピュータに実行させる。
【発明の効果】
【００１１】
この発明によると、スクリーンセイバで表示が順次切替えられている紹介画面で操作入力を行うと、紹介画面に対応するモードに移行する。このため、各モードの機能を理解しつつ煩雑な操作を伴うことなく所望のサービスへ直ちに移行できる。
【発明を実施するための最良の形態】
【００１２】
以下、添付した図面を参照し本発明の好ましい実施形態を説明する。
【００１３】
＜第１実施形態＞
［概略構成］
図１は、本発明の好ましい実施形態に係る店頭プリント端末１０の実施の形態を示すブロック図である。同図に示すように店頭プリント端末１０には、スマートメディア、メモリースティック、コンパクトフラッシュ、ＣＤ−Ｒなどの記録メディア４５が挿入されるメディア挿入口１０２及びメディア・インターフェース１０４と、タッチパネル付きモニタ１０６と、通信回線網を介して必要な情報を送受信することが可能な通信回線インターフェース１０８とが設けられている。
【００１４】
タッチパネル付きモニタ１０６には、メディア挿入口１０２に挿入された記録メディア４５に記録されている画像や、タッチパネルで操作するための操作ボタン等が表示される。
【００１５】
また、店頭プリント端末１０には、店頭プリント端末１０の全体の制御を行う中央処理装置（ＣＰＵ）１１０と、ＣＰＵ１１０を動作させるプログラム等が書き込まれているＲＯＭと、ＣＰＵ１１０が処理を実行する際の作業領域となるＲＡＭとから構成されるシステムメモリ１１２と、タッチパネル付きモニタ１０６に表示する情報を出力する表示コントローラ１１４と、タッチパネル付きモニタ１０６を用いてプリントしたい画像の選択、枚数（デフォルトは１枚）、種類などのプリント設定情報等を入力する入力コントローラ１１６とが設けられている。
【００１６】
また、店頭プリント端末１０には、メディア挿入口１０２に挿入された記録メディア４５又は通信回線Ｉ／Ｆ１０８を介して取り込んだ画像等の情報やプリント設定情報等を一時的に格納するストレージ１１８と、プリント設定情報に基づいてストレージ１１８に格納された画像をプリントするプリントエンジン１２０と、コインマシン１２２とが設けられている。
【００１７】
［処理の流れ］
以下、図２のフローチャートに従い、店頭プリント端末１０の実行する処理の流れを説明する。
【００１８】
Ｓ０では、所定時間（例えば５分〜１０分程度）が経過するまでの間、プリントサービスモード又はメディア書込サービスモードを選択させる操作ボタンを備えた第１メニュー画面をタッチパネルモニタ１０６に表示する。図３は第１メニュー画面の表示例である。この画面は、プリントサービス又はメディア書込サービスの選択をタッチパネルモニタ１０６に表示された操作ボタン押下で受け付ける。この画面でプリントサービスが選択された場合はＳ１に移行し、メディア書込サービスが選択された場合はＳ２に移行する。一方、この画面で何も選択されないまま所定時間が経過した場合、Ｓ３に移行する。
【００１９】
Ｓ１では、プリントサービスモードを構成する一括プリントモード、画像選択プリントモード、インデックスプリントモード又はマルチプリントモードを選択させる操作ボタンを備えた第２メニュー画面をタッチパネルモニタ１０６に表示させる。図４は第２メニュー画面の表示例である。この画面は、一括プリントモード、画像選択プリントモード、インデックスプリントモード又はマルチプリントモードの選択をタッチパネルモニタ１０６に表示された操作ボタン押下で受け付ける。この画面で一括プリントモードが選択された場合はＳ４に、画像選択プリントモードが選択された場合はＳ５に、インデックスプリントモードが選択された場合はＳ６に、マルチプリントモードが選択された場合はＳ７に移行する。
【００２０】
Ｓ２では、メモリースティックやコンパクトフラッシュなどから読み込まれた画像をメディア挿入口１０２に挿入されたＣＤ−Ｒメディアに出力して記録させるメディア書込サービスモードを実行する。
【００２１】
Ｓ３では、プリントサービスモードを構成する一括プリントモード、画像選択プリントモード、インデックスプリントモード、マルチプリントモード又はメディア書込サービスモードの個別の紹介画面を順次切替えるスクリーンセイバをタッチパネルモニタ１０６に表示する。図５に示すように、このスクリーンセイバでは、一括プリントの紹介画面1)−１、画像選択プリントの紹介画面1)−２、インデックスプリントの紹介画面1)−３、マルチプリントの紹介画面1)−４、及びメディア書込の紹介画面2)の各紹介画面が、所定時間の経過毎に順次切り替わる。紹介画面2)の表示開始から所定時間が経過すると再び紹介画面1)−１に戻り、紹介画面の切替えが所定時間ごとに繰り返されることでタッチパネルモニタ１０６の焼きつきを防ぐ。
【００２２】
一括プリントの紹介画面1)−１においてタッチパネルモニタ１０６に操作入力があると、一括プリントモード（Ｓ４）に移行する。Ｓ４の一括プリントモードでは、メディア挿入口１０２に挿入された記憶メディア４５から読み取られた全ての画像をタッチパネルモニタ１０６から指定されたプリントの種類及び枚数だけプリントさせる。
【００２３】
画像選択プリントの紹介画面1)−２においてタッチパネルモニタ１０６に操作入力があると、画像選択プリントモード（Ｓ５）に移行する。Ｓ５の画像選択プリントモードでは、プリントする画像、各画像のプリント枚数及びプリントの種類を選択・指定させ、選択された画像を指定された種類及び枚数でプリントする。
【００２４】
インデックスプリントの紹介画面1)−３においてタッチパネルモニタ１０６に操作入力があると、インデックスプリントモード（Ｓ６）に移行する。Ｓ６のインデックスプリントモードでは、メディア挿入口１０２に挿入された記憶メディア４５から読み取られた全ての画像ファイルに含まれる全ての画像を縮小し、単一プリントと同サイズのプリントを所定の順番に従ってプリントする。
【００２５】
マルチプリントの紹介画面1)−４においてタッチパネルモニタ１０６に操作入力があると、マルチプリントモード（Ｓ７）に移行する。Ｓ７のマルチプリントモードでは、記録メディア４５から読み込まれた画像を所定数ずつ（例えば４つずつ）縮小して単一プリントと同サイズでプリントする。
【００２６】
メディア書込の紹介画面2)においてタッチパネルモニタ１０６に操作入力があると、メディア書込サービスモード（Ｓ２）に移行する。
【００２７】
なお、スクリーンセイバで順次切り替わる各紹介画面における所定位置（例えば画面右下部分）に押圧操作入力があった場合は各紹介画面に対応するモードに移行し、所定位置以外の位置に押圧操作入力があった場合は第１メニュー画面に復帰するようにしてもよい。
【００２８】
以上説明した通り、一括プリントモード、画像選択プリントモード、インデックスプリントモード、マルチプリントモード又はメディア書込モードといった多数のサービス機能を有する店頭プリント端末１０は、スクリーンセイバで各モードを紹介する画面を表示し、その紹介画面でタッチパネルモニタ１０６に操作入力がされれば、その紹介画面で紹介されているモードに移行する。このため、ユーザは各モードの機能を十分理解しつつ煩雑な操作を伴うことなく所望のサービスへ直ちに移行できる。
【００２９】
なお、上述した実施の形態では、本発明を店頭プリント端末に適用した例を述べたが、本発明の適用範囲はこれに限らず、デジタルカメラ、ゲーム機、ＡＴＭ等についても同様に適用することが可能である。即ち、上述の処理ステップの全部又は一部を実行させるプログラムを半導体メモリなどのコンピュータ読み取り可能な記憶媒体に記憶させておき、ＣＰＵやＭＣＵなどの演算処理手段を有する各種装置でこれを適宜読み出して実行させればよい。
【００３０】
＜第２実施形態＞
第１実施形態のように、タッチ指定された動作モードへ移行する機能を有するスクリーンセイバを単独で動作させてもよい。ただし、場合によっては、通常のスクリーンセイバ動作、即ちスクリーンセイバ画面の表示動作中にタッチパネルモニタ１０６などの操作手段に操作入力があると、スクリーンセイバ画面を所定の画面（第１メニュー画面や第２メニュー画面など）に復帰させる動作の方が便利なこともある。このため、予め、通常のスクリーンセイバまたは指定された動作モードへ移行する機能を有するスクリーンセイバ（以下動作モード指定機能付スクリーンセイバと称す）のいずれを動作させるかを任意に設定させ、設定されたいずれか一方のスクリーンセイバを動作させるようにしてもよい。
【００３１】
例えば、図６に示すようなメンテナンス画面を設けておき、通常のスクリーンセイバまたは動作モード指定機能付スクリーンセイバのいずれか一方をメンテナンス管理者が予め設定できるようにする。タッチパネルモニタ１０６に表示されたメンテナンス画面には、「通常」ボタンＢ１と「動作モード実行機能付」ボタンＢ２が設けられている。この画面で、「通常」ボタンＢ１がタッチ選択されると、ＣＰＵ１１０は通常のスクリーンセイバを設定し、「動作モード実行機能付」ボタンＢ２がタッチ選択されると、ＣＰＵ１１０は動作モード指定機能付スクリーンセイバを設定する。一旦設定が完了すると、その内容はシステムメモリ１１２のＲＯＭに保持され、新たな設定がなされるまで変更されない。
【００３２】
なお、メンテナンス画面は、通常のユーザが操作できないよう、パスワードなどでロックされている。
【００３３】
図７は第２実施形態に係る店頭プリント端末１０の実行する処理の流れを示すフローチャートである。このフローチャートのステップＳ１〜Ｓ７は、第１実施形態と同等であるため説明は省略する。
【００３４】
一方、Ｓ０の処理内容は第１実施形態と一部異なる。即ち、所定時間が経過するまでの間、第１メニュー画面をタッチパネルモニタ１０６に表示し、プリントサービスが選択された場合はＳ１に移行し、メディア書込サービスが選択された場合はＳ２に移行するが、この画面で何も選択されないまま所定時間が経過した場合、Ｓ１０に移行する。
【００３５】
Ｓ１０では、通常のスクリーンセイバまたは動作モード指定機能付スクリーンセイバのいずれが設定されているかを判断し、動作モード指定機能付スクリーンセイバが設定されていればＳ３へ移行し、通常のスクリーンセイバが設定されていればＳ１１へ移行する。
【００３６】
Ｓ１１では、タッチパネルモニタ１０６に何らかの操作入力があるまで、タッチパネルモニタ１０６の焼きつきを防ぐ所定のスクリーンセイバ画面（表示内容が固定せず動的であれば特に限定されない）を表示する。何らかの操作入力があると、第１メニュー画面に復帰する。
【００３７】
このように、メンテナンス画面の設定に応じて、通常のスクリーンセイバを動作させることも可能である。
【図面の簡単な説明】
【００３８】
【図１】本発明の好ましい実施形態に係る店頭プリント端末のブロック図
【図２】第１実施形態に係る店頭プリント端末の実行する処理の流れを示すフローチャート
【図３】第１メニュー画面の一例を示す図
【図４】第２メニュー画面の一例を示す図
【図５】スクリーンセイバの一例を示す図
【図６】メンテナンス画面の一例を示す図
【図７】第２実施形態に係る店頭プリント端末の実行する処理の流れを示すフローチャート
【符号の説明】
【００３９】
２：店頭プリント端末、１０６：タッチパネルモニタ
【図１】
2006221585.tif 000003
【図２】
2006221585.tif 000004
【図３】
2006221585.tif 000005
【図４】
2006221585.tif 000006
【図５】
2006221585.tif 000007
【図６】
2006221585.tif 000008
【図７】
2006221585.tif 000009